(57)【要約】  本発明は、積み重ね可能で折りたたみ式の多ユニットウォッシュスタンドに関するものであり、本ウォッシュスタンドは、複数人が同時に使用可能なものである。本発明によるウォッシュスタンドは、展開することによって迅速で簡便に設置可能である。折りたためば、複数の本ウォッシュスタンドは積み重ね可能であり、これによって移動および収納が容易になる。
2008518704.tif 000002
【特許請求の範囲】
【請求項１】
積み重ね可能で折りたたみ式の携帯タイプの多ユニットウォッシュスタンドにおいて、
-水盤またはバケット（１）と、
-水供給手段（２）と、
-前記水盤（１）を支える４つの折りたたみ式の脚部（３）と、
-前記水供給手段（２）を支える４つの折りたたみ式の脚部（４）とを含み、
前記積み重ね可能で折りたたみ式の多ユニットウォッシュスタンドの設置は、工具を用いることなく全体を展開することによって実行され、これによって、前記ウォッシュスタンドを束ねる作業は、工具を用いることなく収納および運搬用に全体的に折りたたまれ、ある高さまで積み重ねられることによって可能である、積み重ね可能で折りたたみ式の多ユニットウォッシュスタンド。
【請求項２】
請求項１に記載の積み重ね可能で折りたたみ式の多ユニットウォッシュスタンドにおいて、前記水盤またはバケット（１）は、２つの縦方向部材（１１）、２つの横方向部材（１２）およびプレート体（１３）の結合体で形成されていて、これにより、前記縦方向部材（１１）には、ジョイント形状の第１の結合手段（１４、１４'）によって、前記水盤（１）の前記支持脚部（３）が設けられ、さらに、前記プレート体（１３）の上面には、前記水供給手段（２）に対する複数の付属物および連動手段が設けられ、前記付属物および連動手段は、第１の手すり（１７）と、スライディングガイド（１５）と、第１のバー（１６）とを含み、これによって、さらに、前記水盤または前記バケット（１）には、余剰水を排出する複数の排水孔（１８）と、前記水供給手段に水を供給するホース（２）が通るホース路（１９）としての孔とが設けられている、積み重ね可能で折りたたみ式の多ユニットウォッシュスタンド。
【請求項３】
請求項１に記載の積み重ね可能で折りたたみ式の多ユニットウォッシュスタンドにおいて、前記水供給手段（２）には、水の入口（２１）が設けられていて、該水の入口は、まず一般的な配管系に接続され、前記水供給手段（２）の長手面に配置された一連の蛇口（２２）に水を分配し、これによって、前記水供給手段（２）の前記長手面には第２の結合手段（２３）が設けられていて、これは前記水供給手段（２）の前記支持脚部（４）に結合されている、積み重ね可能で折りたたみ式の多ユニットウォッシュスタンド。
【請求項４】
請求項１に記載の積み重ね可能で折りたたみ式の多ユニットウォッシュスタンドにおいて、前記水盤（１）の折りたたみ可能な支持脚部（３）は、保持クロスバー（３１）およびポジション決めクロスバー（３２）で構成され、これによって、前記保持クロスバー（３１）は、第１の結合手段のジョイント（１４）を回転させ、前記保持クロスバー（３１）は、第２の手すり（３３）および第２のバー（３４）を含んでいて、前記ポジション決めクロスバー（３２）は、第１の結合手段のジョイント（１４'）を回転可能であり、前記ポジション決めクロスバー（３２）は、前記結合手段の前記ジョイント（１４'）の反対側の端部にて、ドライブピン（３５）を含んでいて、該ドライブピンは、前記第２の手すり（３３）と前記第２のバー（３４）との間に形成されたスロット（３６）に沿ってスライドする、積み重ね可能で折りたたみ式の多ユニットウォッシュスタンド。
【請求項５】
請求項１に記載の積み重ね可能で折りたたみ式の多ユニットウォッシュスタンドにおいて、前記水供給手段（２）の前記支持脚部（４）は、前記水供給手段（２）に配置された第２の結合手段（２３）を回転させ、これによって、前記支持脚部（４）の各々は、前記ジョイント（２３）の反対側の端部にて、前記第１の手すり（１７）および前記第１のバー（１６）で構成されるスロットに沿ってスライドするドライブピン（４１）を示し、これによって、前記スライディングガイド（１５）を援用してスライドを行わせ、金属部品同士が接触するのを防ぐ、積み重ね可能で折りたたみ式の多ユニットウォッシュスタンド。
【請求項６】
請求項１に記載の積み重ね可能で折りたたみ式の多ユニットウォッシュスタンドにおいて、さらに、前記水供給手段（２）に、複数の支持要素（６０）を組み合わせ可能であり、該支持要素に長手の鏡台（６１）が取り付けられ、該鏡台は、該鏡台に取り付けられた複数の鏡（６２）を支持する、積み重ね可能で折りたたみ式の多ユニットウォッシュスタンド。
【請求項７】
請求項１に記載の積み重ね可能で折りたたみ式の多ユニットウォッシュスタンドにおいて、利用可能な材料は、高品位のステンレス鋼、中品位のステンレス鋼、プラスチックと樹脂との混合物、高密度のポリエチレン（ＨＤＰＥ）または低密度のポリエチレン（ＬＤＰＥ）、ポリプロピレン、ポリアミド、ＡＢＳ樹脂またはＰＭＭＡ、ポリカーボネート（ＰＣＥ）、ポリスチレン（ＨＩＰＳ）、およびポリエステルから選択され、非金属材料用の製造工程は、加熱成形、離心成形、オープンモールド成形の人手によるラミネーティングおよび射出成形から選択される、積み重ね可能で折りたたみ式の多ユニットウォッシュスタンド。
【発明の詳細な説明】
【発明の目的】
【０００１】
本発明は、複数人に同時にサービスを受けさせることができ、迅速で簡便に設置可能で、折りたたみおよび積み重ねが可能で本発明による他の多ユニットウォッシュスタンドと整列させることができ、さらに、経時による磨耗を生じない良好な外観を有する多ユニットウォッシュスタンドを提供することを目的とする。
【０００２】
上述の目的が達成されれば、ウォッシュスタンドの設置／撤去には時間がかからなくなり、収納および運搬すべきウォッシュスタンドの容積は削減され、必要な人数分、すなわち整列されたユニット数分の人数の使用者に同時にサービスを受けさせることが可能となる。
【発明の背景】
【０００３】
一般的に、軍事演習、野営、屋外コンサート、町や首都郊外の守護聖人祭など、大規模な群集が集うイベントの会場として選定される場所には、参加者に十分なサービスを提供するだけの衛生用の設備がない。上述のサービスのうち、基本的なものは、身体の清潔、食器の洗浄やキッチン用品のすすぎ／洗浄に関するものであり、かかる目的に供するための設備を、給水管や余剰水の回収とともに、イベント会場へ設置することが必要である。上述のような場所へ設置可能な多数のウォッシュスタンドを提供する目的は、様々な特許において述べられているところである。
【０００４】
スペイン特許出願Ｕ０２６２５１３号（アベリノ  マルチネス）、タイトル「設置可能な多数自律ウォッシュスタンド」の特許請求の範囲によれば、自律多数ウォッシュスタンドは、三脚に配置された貯水部を特徴とし、三脚の固定装置は、備え付けられた洗浄台の支持も同時に行うフレームである。水は、上述のコンテナから、ホースおよびタップ（蛇口）によって落下する。これにより、機械的な部品の組立によって、ドライブピン、パターンスクリュー、鳩目金、サザンコーン、マグネットおよびＬ字型支持金具を用いて組立／分解が実行される。
【０００５】
米国特許ＵＳ３０６９６９４号、Ｍ．Ｅ．マコーマック、タイトル「可搬式で撤去可能な多数ウォッシュスタンド」の特許請求の範囲によれば、可搬式、折りたたみ式で撤去可能なウォッシュスタンドは、基本的に、長方形の水平な構造体で構成されている。この構造体は、２×２個ずつで正方形の列を形成し、これらの中に、複数の半球状の独立したウォッシュスタンドが支持される。それらウォッシュスタンドは、上述の正方形に取り付けられて一体化し、フレームの長手軸に、タップを配備する配管がなされていて、タップはウォッシュスタンド毎に設置される。この設備は、複数の脚部も含んでいて、それらの上にフレームが搭載されている。
【０００６】
上述の特許文献には、設置作業に時間がかかるという問題が存在する。また、適正なサービスを開始するにも、分解したり収納したりするにも、詳細なマニュアルを必要とする。上述の設備には、スペイン特許の角錐状の貯水部およびウォッシュスタンド、ならびに米国特許の半球状のウォッシュスタンドのように、積み重ね可能な部分もあるが、設備全体がそうなっているわけではない。したがって、組立および分解がより容易で、収納および運搬がより能率的な設備が望まれている。
【０００７】
望ましいものは、上述の問題を回避でき、すべての必要な部品が単一のユニットに統合されていて、組立／分解のためのマニュアルを必要とせず、迅速な設置が可能で、すべての構成部品を積み重ねて、まとめて運搬可能な構成である。
【０００８】
本発明の基本的な思想は、設置の際、組み立てる代わりに展開され、取り扱いが極めて単純であるがゆえに取扱説明書が不要な設備を獲得することである。本設備の展開は、ネジやナット／ボルトを配置する必要がないため、わずか数秒で実行できる。これが可能なのは、本設備にはすべての部材が一体化されているからである。本設備によれば、さらに、全体を構成する部品や要素を紛失することがないという利点も得られる。
【０００９】
サービスを機能させるには、本発明の多数ウォッシュスタンドに給水管および排水管を接続しさえすればよい。イベントの行われる場所次第では、給水管は地域の水ネットワークから引いてよく、あるいは、水タンクトラックから引いてよい。そして排水手段は単純に排水溝としてよく、あるいは、水を下水溝に導く、より望ましくは余剰水を吸引して環境を完全に清潔に保つタンクトラックに導く、ホースとしてよい。
【００１０】
本発明が適用される大規模なイベントは、限定された期間だけ行われるものであり、会場は、かかるイベント専用のものではない。したがって、本発明の非常に重要な目的は、上述のウォッシュスタンドを迅速で簡便な作業によって設置／撤去することである。他方、上述のウォッシュスタンドは不使用時に収納する必要があり、また、それらの収納場所から使用場所へ適切に運搬可能とする必要がある。また、本発明の他の重要な目的は、収納時および運搬時に大きなスペースを占めないようにすることである。
【００１１】
上述の、ウォッシュスタンドの設置／撤去作業の迅速性および簡便性、ならびに、収納時および運搬時に必要とするスペースに関する特徴は、本発明による積み重ねおよび収納可能な多ユニットウォッシュスタンドによって実現される。
【発明の説明】
【００１２】
本発明による折りたたみ式で収納可能な多数ウォッシュスタンドは、主たる要素として、水盤またはバケットと、水供給手段と、水盤を支える４つの折りたたみ式の脚部と、水供給手段を支える４つの折りたたみ式の脚部とで構成されている。
【００１３】
水盤またはバケットは、当該水盤を、その側面にあって水盤を支える４つの折りたたみ式の脚部に結合するのに必要な手段を有し、脚部は、完全に展開されている時、水盤を支持している。また、水盤の上面には、上方にガイドが付いた４つの手すりが設けられていて、水供給手段を支える折りたたみ式脚部のそれぞれの下端はスライド可能であり、さらに、上述の水盤を上述の水供給手段に結合している。これによって上述の水供給手段は、サービス可能となったり、あるいは、積み重ね姿勢になったりすることができる。バケットまたは水盤の側方端部の近傍には２つの孔が設けられていて、それらは垂直な円柱状であり、水盤の中央の最低部に位置している。これらの孔は排水管としての役割を果たす。最後に、水盤には、水を供給し水供給手段と結合する必要のあるホースの通路としての役目を果たす中央の孔も設けられている。
【００１４】
水供給手段の側面には、水供給手段を支持する４つの折りたたみ式の脚部の上端に上述の水供給手段を結合するのに必要な手段が設けられている。また、水の供給ホースと結合する線状スリーブジョイントへの入口も設けられている。この部分から一連のパイプが設けられ、これのために、水は、複数の横穴を結合して供給され、これらの横穴には、使用者が扱う蛇口が設置される。
【００１５】
上述のような多数ウォッシュスタンドが必要とされる場合、必要な長さにわたり連続して長手方向に設置される水盤の両端面の間の連絡路には、いくつかの水盤が追加される場合がある。
【００１６】
本発明をよりよく理解するため、本発明の実施形態を添付図面を参照しながら説明する。
【本発明の好適な実施形態】
【００１７】
図１〜図３は、本発明による折りたたみ式で積み重ね可能な多数ウォッシュスタンドの好適な実施形態を示し、これは、水盤またはバケット（１）と、水供給手段（２）と、水盤（１）を支持する４つの折りたたみ式の脚部（３）と、水供給手段（２）を支持する４つの折りたたみ式の脚部（４）とで構成されている。
【００１８】
水盤またはバケット（１）は、図４および図５から分かるように、２つの縦方向部材（１１）と、２つの横方向部材（１２）と、それら部材に溶接された舟の竜骨状のプレート体（１３）との結合体で形成されている。縦方向部材（１１）内では、複数のジョイント形状の主要結合手段（１４、１４’）に対して、水盤（１）の支持脚部（３）が設けられていて、プレート体（１３）の上面には（図５参照）、水供給手段（２）との結合およびネジ締め手段が、第１の手すり（１７）と、スライディングガイド（１５）と、主バー（１６）とで構成された上述の手段とともに設けられている。水盤またはバケット（１）には、余剰水を排出する排水孔（１８）と、水供給手段に水を供給するホース（２）が通るホース路（１９）としての孔とが設けられている。
【００１９】
水供給手段（２）は直線的な直方体の形状を有し、その底部に水の入口（２１）が、ネジ山を付けたソケットによって設けられている。この水の入口（２１）から、長方形の内部の穴に配置された一般的な配管系を通じて、上述の水供給手段（２）の長手面に４つおよび４つずつ配置された計８つの蛇口／タップ（２２）の各々まで水が分配される。また長手面には第２の結合手段（２３）が設けられていて、これは水供給手段（２）の支持脚部（４）に結合されている。
【００２０】
水盤（１）を支持する折りたたみ式の脚部（３）は、保持クロスバー（３１）とポジション決めクロスバー（３２）とで構成されている。保持クロスバー（３１）は第１の結合手段のジョイント（１４）回転させ、第２の手すり（３３）および第２のバー（３４）を含んでいる。ポジション決めクロスバー（３２）は、第１の結合手段のジョイント（１４’）回転させ、同ジョイントの回転軸の反対側の端部にて、ドライブピン（３５）を含んでいる。このドライブピンは、第２の手すり（３３）と第２のバー（３４）との間に形成されたスロット（３６）に沿ってスライドする。水盤（１）を支持する折りたたみ式の脚部（３）の展開は、これと逆に、脚部を降ろして実行する。上述の脚部を折りたたむには、次の順序で行われる２つの連動した動きが必要である。まず、横方向部材（１２）で形成された側部をわずかに持ち上げる。そして次に、ドライブピン（３５）を外すことによってこれをスロット（３６）に沿って走行させ、保持クロスバー（３１）とポジション決めクロスバー（３２）とを水平な姿勢になるまで回転させる。かかる折りたたみ方法が使用可能であるため、たとえば衝撃／衝突を伴う無用な折りたたみ／折り曲げ動作が回避される。
【００２１】
水供給手段（２）の支持脚部（４）は、水供給手段（２）に配置された第２の結合手段（２３）を回転させ、そのジョイントの反対側の端部にて、第１の手すり（１７）および第１のバー（１６）で構成されるスロットに沿ってスライドするドライブピン（４１）を、スライディングガイド（１５）を援用して含んでいる。ドライブピンはプラスチック製であり、金属部品同士が接触するのを防いでいる。
【００２２】
図８に見られるように、積み重ねられたウォッシュスタンドの列には、最上部のウォッシュスタンドを除いて、各ウォッシュスタンドが占有する高さ方向のスペースは、すべて同一であり、既に折りたたまれたウォッシュスタンドより低い位置を占有する。本発明の好適な実施形態では、この長さは、各ユニットについて事実上９５ｍｍであり、したがって、２つのヨーロピアンパレット（５０）を、それらの間に長方形を形成する方法で接続し、それらの上で複数のウォッシュスタンドを支え、下部に配置されたウォッシュスタンドとともに複数の立方体（５１）を取り付けることによって、２５ユニットもの運搬が可能となる。したがって、２００個の蛇口を設けても、運搬および収納には約２．５ｍの高さしか占有しない。
【００２３】
配管を除いて、すべての部材に用いられる材料は、高品位のステンレス鋼であり、これによって、本設備は、経時劣化しない良好な外観を有する。
【００２４】
また、簡便な設置方法によって、ウォッシュスタンドには、鏡、タオル掛け、石鹸皿などの他の有用な設備を配備可能である。これを行うため、２つの支持要素（６０）が水供給手段（２）に固定され、これらの上に、望ましくはプラスチック製の長手の鏡台（６１）が取り付けられ、この鏡台は、各長手側面に延伸する概略「Ａ」の形状の横断面を有し、２つの側面は、それぞれに取り付けられた４つの鏡（６２）を有する。
【００２５】
各支持要素（６０）は、開いた多角形状を低部において有し、そこには、複数の鉤爪（６３）が設けられ、これらは水供給手段（２）に取り付けられ、ロック（６４）によって固定される。ロックは軸（６５）で回転し、ラッチ（６６）によって引っ掛けられる。一旦、支持要素（６０）が両方ともセットされると、鏡台（６１）のみが調節可能となり、これは、２つの支持要素（６０）に押し付けることによって、取り付けられる。
【００２６】
本発明の他の実施形態では、単に製造工程に応じて寸法および形状を変更してよく、無論、用いられる材料に応じても変更してよい。また、したがって、これらの他の実施形態では、折りたたみ式の積み重ね可能な多数ウォッシュスタンドを、全体的に、あるいは部分的に、好ましい上述の実施形態の特徴をすべて満たす、十分な強度を有する材料で作ってよい。コスト削減という経済上の目的を勘案すれば、上述の材料は、中品位のステンレス鋼、プラスチックと樹脂との混合物、高密度のポリエチレン（ＨＤＰＥ）または低密度のポリエチレン（ＬＤＰＥ）、ポリプロピレン、ポリアミド、ＡＢＳ樹脂またはＰＭＭＡ、ポリカーボネート（ＰＣＥ）、ポリスチレン（ＨＩＰＳ）、およびポリエステルとしてよい。上述の材料は、加熱成形、離心成形、オープンモールド成形の人手によるラミネーティングおよび射出成形などの製造工程に基づき、適切に加工できる。
【００２７】
本文で説明し、好適な実施形態を挙げた本発明は、形状、寸法および材料に関して、発明の技術分野および下記の特許請求の範囲の変更にならない範囲で、当業者にとって自明な改変を加えてよいことは言うまでもない。
【図面の簡単な説明】
【００２８】
【図１】水供給手段を備え、水盤の支持脚部が展開された、本実施形態による多数ウォッシュスタンドの概略立面図および縦断面図である。
【図２】図１の多数ウォッシュスタンドの水供給手段が折りたたまれた概略立面図である。
【図３】図１の多数ウォッシュスタンドにおいて、水盤の支持脚部が展開された概略立面図および縦断面図である。
【図４】水盤またはバケットの立面図である。
【図５】図４のＡ−Ａ断面図である。
【図６】水供給手段およびそれと水盤またはバケットとの結合状態を示す部分立面図である。
【図７】水盤またはバケットの支持脚部の１つと、それらの結合状態とを示す部分立面図である。
【図８】本発明の好適な実施形態において、４つの多数ウォッシュスタンドを積み重ねた状態を示す断面図である。
【図９】図１の多数ウォッシュスタンドの全体に鏡台が追加された概略立面図である。
【図１０】水供給手段に鏡台の支持部を組み付ける手順を示す図である。
【図１１】図９のＢ−Ｂ断面図であり、多数ウォッシュスタンドを補完する鏡台が支持部の上に設置された状態を示す。
【図１】
2008518704.tif 000003
【図２】
2008518704.tif 000004
【図３】
2008518704.tif 000005
【図４】
2008518704.tif 000006
【図５】
2008518704.tif 000007
【図６】
2008518704.tif 000008
【図７】
2008518704.tif 000009
【図８】
2008518704.tif 000010
【図９】
2008518704.tif 000011
【図１０】
2008518704.tif 000012
【図１１】
2008518704.tif 000013
【国際調査報告】
2008518704.tif 000014
2008518704.tif 000015
2008518704.tif 000016
2008518704.tif 000017